(57)【要約】【課題】耐タンパリング性能に優れた耐タンパリング構造を提供する。【解決手段】第１の基板１１と、第２の基板１２と、本体２１と蓋体２２とを有する筐体２０と、タンパリング検出スイッチ３０と、タンパリング検出スイッチ３０の押下部３２に取り付けられた押下部延長部材４０とを有し、押下部延長部材４０は、基部４１と、第１の基板１１および第２の基板１２に対して所定の角度をなす斜面部４２とを有し、蓋体２２に設けられた押さえ部材５１は、蓋体２２が本体２１に取り付けられているときは斜面部４２に接触することによってタンパリング検出スイッチ３０を押下する一方、蓋体２２が本体２１から取り外されたときは斜面部４２から離脱することによってタンパリング検出スイッチ３０を押下解除する耐タンパリング構造。【選択図】図１
2019102012.tif 000002
【特許請求の範囲】
【請求項１】
第１の内側板面を備える第１の基板と、
前記第１の内側板面に平行に対向する第２の内側板面を備える第２の基板と、を有し、
前記第１の内側板面および前記第２の内側板面の少なくとも一方に、タンパリングから保護すべきデータを記憶した電子部品を搭載し、
前記第１の基板および前記第２の基板を収容する筐体をさらに有し、
前記筐体は、
該筐体に収容された前記第１の基板および前記第２の基板の前記第１の内側板面および前記第２の内側板面に垂直な方向に開口部を備える本体と、
前記開口部を塞ぐように、前記本体に取り付けられる蓋体と、を有し、
前記第１の内側板面および前記第２の内側板面の一方に搭載され、該第１の内側板面および該第２の内側板面に平行な方向に往復動作する押下部を備えるタンパリング検出スイッチと、
前記タンパリング検出スイッチの前記押下部に取り付けられ、前記第１の内側板面および前記第２の内側板面に平行な方向に延在する押下部延長部材をさらに有し、
前記押下部延長部材は、前記第１の内側板面および前記第２の内側板面に対して所定の角度をなす斜面部を有し、
前記蓋体の内側面から、前記筐体に収容された前記第１の基板および前記第２の基板の前記第１の内側板面および前記第２の内側板面に垂直な方向に突出するように設けられた押さえ部材をさらに有し、
前記押さえ部材は、
前記蓋体が該筐体の前記本体に取り付けられているときは、前記押下部延長部材の前記斜面部に接触することによって前記タンパリング検出スイッチを押下し、該タンパリング検出スイッチがタンパリング無しと検出する一方、
前記蓋体が該筐体の前記本体から取り外されたときは、前記押下部延長部材の前記斜面部から離脱することによって前記タンパリング検出スイッチを押下解除し、該タンパリング検出スイッチがタンパリングが有り得ると検出する、耐タンパリング構造。
【請求項２】
前記押下部延長部材の前記斜面部の一部分は、少なくとも前記押さえ部材が接触していないときに、前記第１の内側板面と前記第２の内側板面との間の空間の範囲外に位置している、請求項１に記載の耐タンパリング構造。
【請求項３】
前記押下部延長部材は、前記第１の内側板面と前記第２の内側板面との間の空間の範囲内に位置し、
前記第１の基板および前記第２の基板の前記押さえ部材に対向する方は、貫通孔部を有し、
前記押さえ部材は、前記貫通孔部を介して、前記押下部延長部材の前記斜面部に接触する、請求項１に記載の耐タンパリング構造。
【請求項４】
前記蓋体および前記押さえ部材は、単一物として一体に形成されている、請求項１乃至３のいずれか一項に記載の耐タンパリング構造。
【請求項５】
前記押さえ部材は、
ネジであり、
前記蓋体に設けられた貫通雌ネジ部に該蓋体の外側面から螺入および挿通され、
さらに、前記押下部延長部材の前記斜面部に接触する、請求項１乃至３のいずれか一項に記載の耐タンパリング構造。
【請求項６】
前記押さえ部材は、
ネジであり、
前記蓋体に設けられた貫通孔部に該蓋体の外側面から挿通され、
さらに、前記筐体の前記本体に設けられた貫通雌ネジ部に螺入および挿通され、
さらにまた、前記押下部延長部材の前記斜面部に接触する、請求項１乃至３に記載の耐タンパリング構造。
【請求項７】
前記筐体の前記本体に前記蓋体を固定する固定ネジをさらに有し、
前記固定ネジは、
前記蓋体に設けられた第２の貫通孔部に該蓋体の外側面から挿通され、
さらに、前記本体に設けられた雌ネジ部に螺入され、
前記押さえ部材および前記固定ネジは、互いに同一形状および同一サイズのネジ頭を備える、請求項５または６に記載の耐タンパリング構造。
【請求項８】
前記第１の基板は、前記第１の内側板面の反対側に第１の外側板面を備え、
前記第２の基板は、前記第２の内側板面の反対側に第２の外側板面を備え、
前記第１の外側板面および前記第２の外側板面にはそれぞれ、導体パターンから成り、断線したときにタンパリングが有り得ると検出するタンパリング検出パターンが形成されている、請求項１乃至７のいずれか一項に記載の耐タンパリング構造。
【請求項９】
請求項１乃至８のいずれか一項に記載の耐タンパリング構造を有する筐体装置。
【請求項１０】
請求項９に記載の筐体装置と、タンパリングから保護すべきデータを記憶した前記電子部品と、を有する、電子機器。
【発明の詳細な説明】
【技術分野】
【０００１】
本発明は、耐タンパリング構造および電子機器に関する。
【背景技術】
【０００２】
この種の耐タンパリング構造は、例えば、特許文献１に開示されている。特許文献１に開示された耐タンパリング構造は、タンパリングから保護すべきデータを記憶した電子部品を搭載する基板と、本体および蓋体から成り、基板を収容する筐体と、基板に搭載されたプッシュ式のタンパリング検出スイッチと、筐体の蓋体の内側面に設けられ、筐体が閉じられたときにタンパリング検出スイッチを押す押え板とを有している。この構造によれば、筐体が開蓋されて押え板がタンパリング検出スイッチから離れると、タンパリング検出スイッチのオン／オフが切り替わる。タンパリング検出スイッチのオン／オフが切り替わると、電子部品を有する電子機器の動作が停止すると共に、電子部品に記憶されたデータが自動的に消去される。
【先行技術文献】
【特許文献】
【０００３】
【特許文献１】特開２０１２−１７３９０５号公報
【発明の概要】
【発明が解決しようとする課題】
【０００４】
特許文献１に開示されたものをも含め、本発明の関連技術による耐タンパリング構造は、筐体の開蓋を検出するタンパリング検出スイッチが、筐体の蓋体を開蓋すると直ちに目視可能な基板上に配置されている。このため、蓋体を開蓋せずに孔をあけた場合であっても、目視によってタンパリング検出スイッチが特定されてしまう可能性がある。タンパリング検出スイッチが特定されると、例えば、タンパリング検出スイッチを接着剤で固化して動作不能とした上で、開蓋し、タンパリングが実行される可能性がある。このように、本発明の関連技術による耐タンパリング構造には、耐タンパリング性能の点で改善の余地がある。
【０００５】
本発明は、上記の事情に鑑みてなされたものであり、耐タンパリング性能に優れた耐タンパリング構造を提供することを目的としている。
【０００６】
本発明の他の目的は、上記のような耐タンパリング構造を有する筐体装置を提供することである。
【０００７】
本発明のさらに他の目的は、上記のような筐体装置を有する電子機器を提供することである。
【課題を解決するための手段】
【０００８】
本発明によれば、第１の内側板面を備える第１の基板と、前記第１の内側板面に平行に対向する第２の内側板面を備える第２の基板と、を有し、前記第１の内側板面および前記第２の内側板面の少なくとも一方に、タンパリングから保護すべきデータを記憶した電子部品を搭載し、前記第１の基板および前記第２の基板を収容する筐体をさらに有し、前記筐体は、該筐体に収容された前記第１の基板および前記第２の基板の前記第１の内側板面および前記第２の内側板面に垂直な方向に開口部を備える本体と、前記開口部を塞ぐように、前記本体に取り付けられる蓋体と、を有し、前記第１の内側板面および前記第２の内側板面の一方に搭載され、該第１の内側板面および該第２の内側板面に平行な方向に往復動作する押下部を備えるタンパリング検出スイッチと、前記タンパリング検出スイッチの前記押下部に取り付けられ、前記第１の内側板面および前記第２の内側板面に平行な方向に延在する押下部延長部材をさらに有し、前記押下部延長部材は、前記第１の内側板面および前記第２の内側板面に対して所定の角度をなす斜面部を有し、前記蓋体の内側面から、前記筐体に収容された前記第１の基板および前記第２の基板の前記第１の内側板面および前記第２の内側板面に垂直な方向に突出するように設けられた押さえ部材をさらに有し、前記押さえ部材は、前記蓋体が該筐体の前記本体に取り付けられているときは、前記押下部延長部材の前記斜面部に接触することによって前記タンパリング検出スイッチを押下し、該タンパリング検出スイッチがタンパリング無しと検出する一方、前記蓋体が該筐体の前記本体から取り外されたときは、前記押下部延長部材の前記斜面部から離脱することによって前記タンパリング検出スイッチを押下解除し、該タンパリング検出スイッチがタンパリングが有り得ると検出する、耐タンパリング構造が得られる。
【０００９】
本発明によればまた、前記耐タンパリング構造を有する筐体装置が得られる。
【００１０】
本発明によればさらに、前記筐体装置と、タンパリングから保護すべきデータを記憶した前記電子部品とを有する、電子機器が得られる。
【発明の効果】
【００１１】
本発明による耐タンパリング構造は、耐タンパリング性能に優れている。
【図面の簡単な説明】
【００１２】
【図１】本発明の第１の実施形態による耐タンパリング構造の断面図であり、（ａ）はタンパリング未検出時の状態を示す図であり、（ｂ）はタンパリングが有り得ると検出した時の状態を示す図である。
【図２】本発明の第２の実施形態による耐タンパリング構造の断面図であり、（ａ）はタンパリング未検出時の状態を示す図であり、（ｂ）はタンパリングが有り得ると検出した時の状態を示す図である。
【図３】本発明の第３の実施形態による耐タンパリング構造の断面図であり、（ａ）はタンパリング未検出時の状態を示す図であり、（ｂ）はタンパリングが有り得ると検出した時の状態を示す図である。
【図４】本発明の第４の実施形態による耐タンパリング構造の断面図であり、（ａ）はタンパリング未検出時の状態を示す図であり、（ｂ）はタンパリングが有り得ると検出した時の状態を示す図である。
【発明を実施するための形態】
【００１３】
以下、図面を参照して、本発明による耐タンパリング構造および電子機器を説明する。図中、符号Ｗは幅方向を示し、符号Ｈは高さ方向を示し、符号Ｄは奥行方向を示している。
【００１４】
［第１の実施形態］
図１（ａ）および（ｂ）を参照すると、本発明の第１の実施形態による耐タンパリング構造は、第１の基板１１と、第２の基板１２と、第１の基板１１および第２の基板１２を収容する筐体２０と、タンパリング検出スイッチ３０と、押下部延長部材４０と、押さえ部材２２ｐとを有している。
【００１５】
尚、図１（ａ）はタンパリング未検出時の状態を示す図であり、図１（ｂ）はタンパリングが有り得ると検出した時の状態を示す図である。
【００１６】
第１の基板１１は、第１の内側板面１１ｉと、第１の外側板面１１ｔとを備えている。第２の基板１２は、第１の基板１１の第１の内側板面１１ｉに平行に対向する第２の内側板面１２ｉと、第２の外側板面１２ｔとを備えている。第１の内側板面１１ｉには、タンパリングから保護すべきデータを記憶した電子部品ＭＤが搭載されている。尚、本発明において、タンパリングから保護すべきデータを記憶した電子部品は、第１の内側板面１１ｉおよび第２の内側板面１２ｉの少なくとも一方に搭載されればよい。
【００１７】
筐体２０は、本体２１と、蓋体２２とを有している。本体２１は、筐体２０に収容された第１の基板１１および第２の基板１２の第１の内側板面１１ｉおよび第２の内側板面１２ｉに垂直な方向に開口部を備えている。蓋体２２は、本体２１の開口部を塞ぐように、本体２１に取り付けられている。尚、第１の基板１１および第２の基板１２は、図示はしないが、本体２１内にネジ等を用いて固定されている。
【００１８】
タンパリング検出スイッチ３０は、プッシュスイッチであり、第１の基板１１の第１の内側板面１１ｉに搭載されている。尚、本発明において、タンパリング検出スイッチは、第１の内側板面および第２の内側板面の一方に搭載されればよい。タンパリング検出スイッチ３０は、第１の内側板面１１ｉに平行な方向に往復動作する押下部３２を備えている。タンパリング検出スイッチ３０は、押下されているときに、「タンパリング無し」と検出し、押下解除されたときに、「タンパリングが有り得る」と検出する。
【００１９】
押下部延長部材４０は、タンパリング検出スイッチ３０の押下部３２に取り付けられ、第１の内側板面１１ｉおよび第２の内側板面１２ｉに平行な方向に延在している。押下部延長部材４０は、基部４１と、斜面部４２とを有している。基部４１は、棒状を呈し、一端がタンパリング検出スイッチ３０の押下部３２に取り付けられている。タンパリング検出スイッチ３０側の端部が最も高く、タンパリング検出スイッチ３０から遠ざかるにつれて低くなる斜面を有する斜面部４２は、基部４１の他端に設けられ、第１の内側板面１１ｉおよび第２の内側板面１２ｉに対して所定の角度をなしている。所定の角度とは、例えば、３０度〜６０度である。斜面部４２の角度は、押さえ部材２２ｐが移動する距離を勘案して決定すればよい。即ち、押さえ部材２２ｐが、押下部延長部材４０の斜面部４２に接触し始めた後、移動して最も低い位置となるまでに、タンパリング検出スイッチ３０の接点がオンからオフへ、あるいは、オフからオンへ切り換わるだけのストロークが得られるようにすればよい。
【００２０】
尚、タンパリング検出スイッチ３０の押下部３２が、基部４１を加えた長さを有し、押下部３２に押下部延長部材４０の斜面部４２を取り付けたものであってもよい。この場合、押下部延長部材４０は、斜面部４２のみを有し、基部４１を有していない。
【００２１】
押さえ部材２２ｐは、蓋体２２の内側面から、筐体２０に収容された第１の基板１１および第２の基板１２の第１の内側板面１１ｉおよび第２の内側板面１２ｉに垂直な方向に突出するように設けられている。蓋体２２および押さえ部材２２ｐは、単一物として一体に形成されている。
【００２２】
押さえ部材２２ｐは、図１（ａ）に示すように、蓋体２２が筐体２０の本体２１に取り付けられているときは、押下部延長部材４０の斜面部４２に接触することによってタンパリング検出スイッチ３０を押下する。これにより、タンパリング検出スイッチ３０が、「タンパリング無し」と検出する。
【００２３】
一方、図１（ｂ）に示すように、蓋体２２が筐体２０の本体２１から取り外されたときは、押下部延長部材４０の斜面部４２から離脱することによってタンパリング検出スイッチ３０を押下解除する。これにより、タンパリング検出スイッチ３０が、「タンパリングが有り得る」と検出する。
【００２４】
尚、押下部延長部材４０の斜面部４２の一部分は、少なくとも押さえ部材２２ｐが接触していないときに、第１の内側板面１１ｉと第２の内側板面１２ｉとの間の空間の範囲外に位置している。
【００２５】
また、第１の基板１１の第１の外側板面１１ｔおよび第２の基板１２の第２の外側板面１２ｔにそれぞれ、導体パターンから成り、断線することによってタンパリングが有り得ると検出するタンパリング検出パターンを形成してもよい。
【００２６】
以上説明した耐タンパリング構造は、タンパリングから保護すべきデータを記憶した電子部品とを有する電子機器の筐体装置を構成する。
【００２７】
以上のように、本発明の第１の実施形態による耐タンパリング構造は、タンパリング検出スイッチが、筐体の蓋体を開蓋しても直ちには目視されることがない第１の基板と第２の基板との間に配置されている。このため、仮に、蓋体を開蓋せずに孔をあけたとしても、目視によってタンパリング検出スイッチが特定されてしまうことがない。その結果、タンパリング検出スイッチが特定される可能性が低く、例えば、タンパリング検出スイッチを接着剤で固化して動作不能とした上で、開蓋し、タンパリングが実行される可能性は低い。即ち、本発明の第１の実施形態による耐タンパリング構造は、耐タンパリング性能に優れている。
【００２８】
［第２の実施形態］
本発明の第２の実施形態は、押さえ部材がネジである点等が、第１の実施形態と異なっている。このため、第１の実施形態と同一部または同様部については、第１の実施形態の説明を援用することとし、詳細な説明を省略する。
【００２９】
図２（ａ）および（ｂ）を参照すると、本発明の第２の実施形態による耐タンパリング構造は、第１の基板１１と、第２の基板１２と、第１の基板１１および第２の基板１２を収容する筐体２０’と、タンパリング検出スイッチ３０と、押下部延長部材４０と、押さえ部材５０とを有している。
【００３０】
尚、図２（ａ）はタンパリング未検出時の状態を示す図であり、図２（ｂ）はタンパリングが有り得ると検出した時の状態を示す図である。
【００３１】
第１の基板１１は、第１の内側板面１１ｉと、第１の外側板面１１ｔとを備えている。第２の基板１２は、第１の基板１１の第１の内側板面１１ｉに平行に対向する第２の内側板面１２ｉと、第２の外側板面１２ｔとを備えている。第１の内側板面１１ｉには、タンパリングから保護すべきデータを記憶した電子部品ＭＤが搭載されている。
【００３２】
筐体２０’は、本体２３と、蓋体２４とを有している。本体２３は、筐体２０’に収容された第１の基板１１および第２の基板１２の第１の内側板面１１ｉおよび第２の内側板面１２ｉに垂直な方向に開口部を備えている。蓋体２４は、本体２３の開口部を塞ぐように、本体２３に取り付けられている。尚、第１の基板１１および第２の基板１２は、図示はしないが、本体２３内にネジ等を用いて固定されている。
【００３３】
タンパリング検出スイッチ３０は、プッシュスイッチであり、第１の基板１１の第１の内側板面１１ｉに搭載されている。タンパリング検出スイッチ３０は、第１の内側板面１１ｉに平行な方向に往復動作する押下部３２を備えている。タンパリング検出スイッチ３０は、押下されているときに、「タンパリング無し」と検出し、押下解除されたときに、「タンパリングが有り得る」と検出する。
【００３４】
押下部延長部材４０は、タンパリング検出スイッチ３０の押下部３２に取り付けられ、第１の内側板面１１ｉおよび第２の内側板面１２ｉに平行な方向に延在している。押下部延長部材４０は、基部４１と、斜面部４２とを有している。基部４１は、棒状を呈し、一端がタンパリング検出スイッチ３０の押下部３２に取り付けられている。タンパリング検出スイッチ３０側の端部が最も高く、タンパリング検出スイッチ３０から遠ざかるにつれて低くなる斜面を有する斜面部４２は、基部４１の他端に設けられ、第１の内側板面１１ｉおよび第２の内側板面１２ｉに対して所定の角度をなしている。所定の角度とは、例えば、３０度〜６０度である。斜面部４２の角度は、押さえ部材５０が移動する距離を勘案して決定すればよい。即ち、押さえ部材５０が、押下部延長部材４０の斜面部４２に接触し始めた後、移動して最も低い位置となるまでに、タンパリング検出スイッチ３０の接点がオンからオフへ、あるいは、オフからオンへ切り換わるだけのストロークが得られるようにすればよい。
【００３５】
尚、タンパリング検出スイッチ３０の押下部３２が、基部４１を加えた長さを有し、押下部３２に押下部延長部材４０の斜面部４２を取り付けたものであってもよい。この場合、押下部延長部材４０は、斜面部４２のみを有し、基部４１を有していない。
【００３６】
押さえ部材５０は、ネジであり、蓋体２４に設けられた貫通孔部２４ｈｈに蓋体２４の外側から挿通され、さらに、筐体２０’の本体２３に設けられた貫通雌ネジ部２３ｔｈに螺入および挿通され、さらにまた、図２（ａ）に示すように、押下部延長部材４０の斜面部４２に接触する。
【００３７】
押さえ部材５０は、図２（ａ）に示すように、貫通雌ネジ部２３ｔｈに螺入および挿通されているときは、押下部延長部材４０の斜面部４２に接触することによってタンパリング検出スイッチ３０を押下する。これにより、タンパリング検出スイッチ３０が、「タンパリング無し」と検出する。
【００３８】
一方、図２（ｂ）に示すように、貫通雌ネジ部２３ｔｈから螺出および抜去されたときは、押下部延長部材４０の斜面部４２から離脱することによってタンパリング検出スイッチ３０を押下解除する。これにより、タンパリング検出スイッチ３０が、「タンパリングが有り得る」と検出する。
【００３９】
尚、押下部延長部材４０の斜面部４２の一部分は、少なくとも押さえ部材５０が接触していないときに、第１の内側板面１１ｉと第２の内側板面１２ｉとの間の空間の範囲外に位置している。
【００４０】
また、第１の基板１１の第１の外側板面１１ｔおよび第２の基板１２の第２の外側板面１２ｔにそれぞれ、導体パターンから成り、断線することによってタンパリングが有り得ると検出するタンパリング検出パターンを形成してもよい。
【００４１】
さらに、図示はしないが、筐体２０’の本体２３に蓋体２４を固定する固定ネジをさらに有していてもよい。この場合、固定ネジは、蓋体２４に設けられた第２の貫通孔部に蓋体２４の外側から挿通され、さらに、筐体２０’の本体２３に設けられた雌ネジ部に螺入されてもよい。この場合、押さえ部材５０および固定ネジは、互いに同一形状および同一サイズのネジ頭を備えていてもよい。
【００４２】
以上説明した耐タンパリング構造は、タンパリングから保護すべきデータを記憶した電子部品とを有する電子機器の筐体装置を構成する。
【００４３】
以上のように、本発明の第２の実施形態による耐タンパリング構造も、タンパリング検出スイッチが、筐体の蓋体を開蓋しても直ちには目視されることがない第１の基板と第２の基板との間に配置されている。このため、仮に、蓋体を開蓋せずに孔をあけたとしても、目視によってタンパリング検出スイッチが特定されてしまうことがない。その結果、タンパリング検出スイッチが特定される可能性が低く、例えば、タンパリング検出スイッチを接着剤で固化して動作不能とした上で、開蓋し、タンパリングが実行される可能性は低い。即ち、本発明の第２の実施形態による耐タンパリング構造も、耐タンパリング性能に優れている。
【００４４】
［第３の実施形態］
本発明の第３の実施形態は、押下部延長部材の配置構造の点等が、第１および第２の実施形態と異なっている。このため、第１および第２の実施形態と同一部または同様部については、第１および第２の実施形態の説明を援用することとし、詳細な説明を省略する。
【００４５】
図３（ａ）および（ｂ）を参照すると、本発明の第３の実施形態による耐タンパリング構造は、第１の基板６１と、第２の基板６２と、第１の基板６１および第２の基板６２を収容する筐体７０と、タンパリング検出スイッチ３０と、押下部延長部材４０と、押さえ部材７２ｐとを有している。
【００４６】
尚、図３（ａ）はタンパリング未検出時の状態を示す図であり、図３（ｂ）はタンパリングが有り得ると検出した時の状態を示す図である。
【００４７】
第１の基板６１は、第１の内側板面６１ｉと、第１の外側板面６１ｔとを備えている。第２の基板６２は、第１の基板６１の第１の内側板面６１ｉに平行に対向する第２の内側板面６２ｉと、第２の外側板面６２ｔとを備えている。第１の内側板面６１ｉには、タンパリングから保護すべきデータを記憶した電子部品ＭＤが搭載されている。
【００４８】
筐体７０は、本体７１と、蓋体７２とを有している。本体７１は、筐体７０に収容された第１の基板６１および第２の基板６２の第１の内側板面６１ｉおよび第２の内側板面６２ｉに垂直な方向に開口部を備えている。蓋体７２は、本体７１の開口部を塞ぐように、本体７１に取り付けられている。尚、第１の基板６１および第２の基板６２は、図示はしないが、本体７１内にネジ等を用いて固定されている。
【００４９】
タンパリング検出スイッチ３０は、プッシュスイッチであり、第１の基板６１の第１の内側板面６１ｉに搭載されている。タンパリング検出スイッチ３０は、第１の内側板面６１ｉに平行な方向に往復動作する押下部３２を備えている。タンパリング検出スイッチ３０は、押下されているときに、「タンパリング無し」と検出し、押下解除されたときに、「タンパリングが有り得る」と検出する。
【００５０】
押下部延長部材４０は、第１の基板６１の第１の内側板面６１ｉと第２の基板６２の第２の内側板面６２ｉとの間の空間の範囲内に位置している。第１の基板６１および第２の基板６２のうち、押さえ部材７２ｐに対向する方である第２の基板６２は、貫通孔部６２ｈを有している。
【００５１】
押下部延長部材４０は、タンパリング検出スイッチ３０の押下部３２に取り付けられ、第１の内側板面６１ｉおよび第２の内側板面６２ｉに平行な方向に延在している。押下部延長部材４０は、基部４１と、斜面部４２とを有している。基部４１は、棒状を呈し、一端がタンパリング検出スイッチ３０の押下部３２に取り付けられている。タンパリング検出スイッチ３０側の端部が最も高く、タンパリング検出スイッチ３０から遠ざかるにつれて低くなる斜面を有する斜面部４２は、基部４１の他端に設けられ、第１の内側板面６１ｉおよび第２の内側板面６２ｉに対して所定の角度をなしている。所定の角度とは、例えば、３０度〜６０度である。斜面部４２の角度は、押さえ部材７２ｐが移動する距離を勘案して決定すればよい。即ち、押さえ部材７２ｐが、押下部延長部材４０の斜面部４２に接触し始めた後、移動して最も低い位置となるまでに、タンパリング検出スイッチ３０の接点がオンからオフへ、あるいは、オフからオンへ切り換わるだけのストロークが得られるようにすればよい。
【００５２】
尚、タンパリング検出スイッチ３０の押下部３２が、基部４１を加えた長さを有し、押下部３２に押下部延長部材４０の斜面部４２を取り付けたものであってもよい。この場合、押下部延長部材４０は、斜面部４２のみを有し、基部４１を有していない。
【００５３】
押さえ部材７２ｐは、蓋体７２の内側面から、筐体７０に収容された第１の基板６１および第２の基板６２の第１の内側板面６１ｉおよび第２の内側板面６２ｉに垂直な方向に突出するように設けられている。蓋体７２および押さえ部材７２ｐは、単一物として一体に形成されている。
【００５４】
押さえ部材７２ｐは、図３（ａ）に示すように、蓋体７２が筐体７０の本体７１に取り付けられているときは、第２の基板６２の貫通孔部６２ｈを介して、押下部延長部材４０の斜面部４２に接触することによってタンパリング検出スイッチ３０を押下する。これにより、タンパリング検出スイッチ３０が、「タンパリング無し」と検出する。
【００５５】
一方、図３（ｂ）に示すように、蓋体７２が筐体７０の本体７１から取り外されたときは、押下部延長部材４０の斜面部４２から離脱することによってタンパリング検出スイッチ３０を押下解除する。これにより、タンパリング検出スイッチ３０が、「タンパリングが有り得る」と検出する。
【００５６】
尚、第１の基板６１の第１の外側板面６１ｔおよび第２の基板６２の第２の外側板面６２ｔにそれぞれ、導体パターンから成り、断線することによってタンパリングが有り得ると検出するタンパリング検出パターンを形成してもよい。
【００５７】
以上説明した耐タンパリング構造は、タンパリングから保護すべきデータを記憶した電子部品とを有する電子機器の筐体装置を構成する。
【００５８】
以上のように、本発明の第３の実施形態による耐タンパリング構造も、タンパリング検出スイッチが、筐体の蓋体を開蓋しても直ちには目視されることがない第１の基板と第２の基板との間に配置されている。このため、仮に、蓋体を開蓋せずに孔をあけたとしても、目視によってタンパリング検出スイッチが特定されてしまうことがない。その結果、タンパリング検出スイッチが特定される可能性が低く、例えば、タンパリング検出スイッチを接着剤で固化して動作不能とした上で、開蓋し、タンパリングが実行される可能性は低い。即ち、本発明の第３の実施形態による耐タンパリング構造も、耐タンパリング性能に優れている。
【００５９】
［第４の実施形態］
本発明の第４の実施形態は、押さえ部材がネジである点等が、第１および第３の実施形態と異なっている。また、押下部延長部材の配置構造の点等が、第２の実施形態と異なっている。このため、第１〜第３の実施形態と同一部または同様部については、第１〜第３の実施形態の説明を援用することとし、詳細な説明を省略する。
【００６０】
図４（ａ）および（ｂ）を参照すると、本発明の第４の実施形態による耐タンパリング構造は、第１の基板６１と、第２の基板６２と、第１の基板６１および第２の基板６２を収容する筐体７０’と、タンパリング検出スイッチ３０と、押下部延長部材４０と、押さえ部材５０とを有している。
【００６１】
尚、図４（ａ）はタンパリング未検出時の状態を示す図であり、図４（ｂ）はタンパリングが有り得ると検出した時の状態を示す図である。
【００６２】
第１の基板６１は、第１の内側板面６１ｉと、第１の外側板面６１ｔとを備えている。第２の基板６２は、第１の基板６１の第１の内側板面６１ｉに平行に対向する第２の内側板面６２ｉと、第２の外側板面６２ｔとを備えている。第１の内側板面６１ｉには、タンパリングから保護すべきデータを記憶した電子部品ＭＤが搭載されている。
【００６３】
筐体７０’は、本体７１と、蓋体７４とを有している。本体７１は、筐体７０’に収容された第１の基板６１および第２の基板６２の第１の内側板面６１ｉおよび第２の内側板面６２ｉに垂直な方向に開口部を備えている。蓋体７４は、本体７１の開口部を塞ぐように、本体７１に取り付けられている。尚、第１の基板６１および第２の基板６２は、図示はしないが、本体７１内にネジ等を用いて固定されている。
【００６４】
タンパリング検出スイッチ３０は、プッシュスイッチであり、第１の基板６１の第１の内側板面６１ｉに搭載されている。タンパリング検出スイッチ３０は、第１の内側板面６１ｉに平行な方向に往復動作する押下部３２を備えている。タンパリング検出スイッチ３０は、押下されているときに、「タンパリング無し」と検出し、押下解除されたときに、「タンパリングが有り得る」と検出する。
【００６５】
押下部延長部材４０は、第１の基板６１の第１の内側板面６１ｉと第２の基板６２の第２の内側板面６２ｉとの間の空間の範囲内に位置している。第１の基板６１および第２の基板６２のうち、押さえ部材５０に対向する方である第２の基板６２は、貫通孔部６２ｈを有している。
【００６６】
押下部延長部材４０は、タンパリング検出スイッチ３０の押下部３２に取り付けられ、第１の内側板面６１ｉおよび第２の内側板面６２ｉに平行な方向に延在している。押下部延長部材４０は、基部４１と、斜面部４２とを有している。基部４１は、棒状を呈し、一端がタンパリング検出スイッチ３０の押下部３２に取り付けられている。タンパリング検出スイッチ３０側の端部が最も高く、タンパリング検出スイッチ３０から遠ざかるにつれて低くなる斜面を有する斜面部４２は、基部４１の他端に設けられ、第１の内側板面６１ｉおよび第２の内側板面６２ｉに対して所定の角度をなしている。所定の角度とは、例えば、３０度〜６０度である。斜面部４２の角度は、押さえ部材５０が移動する距離を勘案して決定すればよい。即ち、押さえ部材５０が、押下部延長部材４０の斜面部４２に接触し始めた後、移動して最も低い位置となるまでに、タンパリング検出スイッチ３０の接点がオンからオフへ、あるいは、オフからオンへ切り換わるだけのストロークが得られるようにすればよい。
【００６７】
尚、タンパリング検出スイッチ３０の押下部３２が、基部４１を加えた長さを有し、押下部３２に押下部延長部材４０の斜面部４２を取り付けたものであってもよい。この場合、押下部延長部材４０は、斜面部４２のみを有し、基部４１を有していない。
【００６８】
押さえ部材５０は、ネジであり、蓋体７４に設けられた貫通雌ネジ部７４ｔｈに蓋体７４の外側から螺入および挿通され、さらに、第２の基板６２に形成された貫通孔部６２ｈに挿通され、さらにまた、図４（ａ）に示すように、押下部延長部材４０の斜面部４２に接触する。
【００６９】
押さえ部材５０は、図４（ａ）に示すように、貫通雌ネジ部７４ｔｈに螺入および挿通されているときは、第２の基板６２の貫通孔部６２ｈを介して、押下部延長部材４０の斜面部４２に接触することによってタンパリング検出スイッチ３０を押下する。これにより、タンパリング検出スイッチ３０が、「タンパリング無し」と検出する。
【００７０】
一方、図４（ｂ）に示すように、貫通雌ネジ部７４ｔｈから螺出および抜去されたときは、押下部延長部材４０の斜面部４２から離脱することによってタンパリング検出スイッチ３０を押下解除する。これにより、タンパリング検出スイッチ３０が、「タンパリングが有り得る」と検出する。
【００７１】
尚、第１の基板６１の第１の外側板面６１ｔおよび第２の基板６２の第２の外側板面６２ｔにそれぞれ、導体パターンから成り、断線することによってタンパリングが有り得ると検出するタンパリング検出パターンを形成してもよい。
【００７２】
さらに、図示はしないが、筐体７０’の本体７１に蓋体７４を固定する固定ネジをさらに有していてもよい。この場合、固定ネジは、蓋体７４に設けられた貫通孔部に蓋体７４の外側から挿通され、さらに、筐体７０’の本体７１に設けられた雌ネジ部に螺入されてもよい。この場合、押さえ部材５０および固定ネジは、互いに同一形状および同一サイズのネジ頭を備えていてもよい。
【００７３】
以上説明した耐タンパリング構造は、タンパリングから保護すべきデータを記憶した電子部品とを有する電子機器の筐体装置を構成する。
【００７４】
以上のように、本発明の第４の実施形態による耐タンパリング構造も、タンパリング検出スイッチが、筐体の蓋体を開蓋しても直ちには目視されることがない第１の基板と第２の基板との間に配置されている。このため、仮に、蓋体を開蓋せずに孔をあけたとしても、目視によってタンパリング検出スイッチが特定されてしまうことがない。その結果、タンパリング検出スイッチが特定される可能性が低く、例えば、タンパリング検出スイッチを接着剤で固化して動作不能とした上で、開蓋し、タンパリングが実行される可能性は低い。即ち、本発明の第４の実施形態による耐タンパリング構造も、耐タンパリング性能に優れている。
【符号の説明】
【００７５】
１１、６１    第１の基板
１１ｉ、６１ｉ  第１の内側板面
１１ｔ、６１ｔ  第１の外側板面
１２、６２    第２の基板
１２ｉ、６２ｉ  第２の内側板面
１２ｔ、６２ｔ  第２の外側板面
２０、２０’、７０、７０’    筐体
２１、２３、７１    本体
２２、２４、７２、７４    蓋体
２２ｐ、７２ｐ  押さえ部材
３０    タンパリング検出スイッチ
３２    押下部
４０    押下部延長部材
４１    基部
４２    斜面部
５０    押さえ部材（ネジ）
ＭＤ    タンパリングから保護すべきデータを記憶した電子部品
【図１】
2019102012.tif 000003
【図２】
2019102012.tif 000004
【図３】
2019102012.tif 000005
【図４】
2019102012.tif 000006
【手続補正書】
【提出日】平成31年4月1日(2019.4.1)
【手続補正２】
【補正対象書類名】明細書
【補正対象項目名】０００２
【補正方法】変更
【補正の内容】
【０００２】
この種の耐タンパリング構造は、例えば、特許文献１に開示されている。特許文献１に開示された耐タンパリング構造は、タンパリングから保護すべきデータを記憶した電子部品を搭載する基板と、本体および蓋体から成り、基板を収容する筐体と、基板に搭載されたプッシュ式のタンパリング検出スイッチと、筐体の蓋体の内側面に設けられ、筐体が閉じられたときにタンパリング検出スイッチを押す押え板とを有している。この構造によれば、筐体が開蓋されて押え板がタンパリング検出スイッチから離れると、タンパリング検出スイッチのオン／オフが切り替わる。タンパリング検出スイッチのオン／オフが切り替わると、電子部品を有する電子機器の動作が停止すると共に、電子部品に記憶されたデータが自動的に消去される。尚、本明細書において、「耐タンパリング構造」もしくは「耐タンパリング構造を有する筐体装置」との表記は、どちらも、耐タンパリング機能を奏する筐体装置を意味する。
【手続補正３】
【補正対象書類名】明細書
【補正対象項目名】００２６
【補正方法】変更
【補正の内容】
【００２６】
以上説明した筐体装置は、タンパリングから保護すべきデータを記憶した電子部品と共に、電子機器を構成する。
【手続補正４】
【補正対象書類名】明細書
【補正対象項目名】００４２
【補正方法】変更
【補正の内容】
【００４２】
以上説明した筐体装置は、タンパリングから保護すべきデータを記憶した電子部品と共に、電子機器を構成する。
【手続補正５】
【補正対象書類名】明細書
【補正対象項目名】００５７
【補正方法】変更
【補正の内容】
【００５７】
以上説明した筐体装置は、タンパリングから保護すべきデータを記憶した電子部品と共に、電子機器を構成する。
【手続補正６】
【補正対象書類名】明細書
【補正対象項目名】００７３
【補正方法】変更
【補正の内容】
【００７３】
以上説明した筐体装置は、タンパリングから保護すべきデータを記憶した電子部品と共に、電子機器を構成する。
【手続補正７】
【補正対象書類名】特許請求の範囲
【補正対象項目名】全文
【補正方法】変更
【補正の内容】
【特許請求の範囲】
【請求項１】
第１の内側板面を備える第１の基板と、
前記第１の内側板面に平行に対向する第２の内側板面を備える第２の基板と、を有し、
前記第１の内側板面および前記第２の内側板面の少なくとも一方に、タンパリングから保護すべきデータを記憶した電子部品を搭載し、
前記第１の基板および前記第２の基板を収容する筐体をさらに有し、
前記筐体は、
該筐体に収容された前記第１の基板および前記第２の基板の前記第１の内側板面および前記第２の内側板面に垂直な方向に開口部を備える本体と、
前記開口部を塞ぐように、前記本体に取り付けられる蓋体と、を有し、
前記第１の内側板面および前記第２の内側板面の一方に搭載され、該第１の内側板面および該第２の内側板面に平行な方向に往復動作する押下部を備えるタンパリング検出スイッチと、
前記タンパリング検出スイッチの前記押下部に取り付けられ、前記第１の内側板面および前記第２の内側板面に平行な方向に延在する押下部延長部材をさらに有し、
前記押下部延長部材は、前記第１の内側板面および前記第２の内側板面に対して所定の角度をなす斜面部を有し、
前記蓋体の内側面から、前記筐体に収容された前記第１の基板および前記第２の基板の前記第１の内側板面および前記第２の内側板面に垂直な方向に突出するように設けられた押さえ部材をさらに有し、
前記押下部延長部材の前記斜面部の一部分は、少なくとも前記押さえ部材が接触していないときに、前記第１の内側板面と前記第２の内側板面との間の空間の範囲外に位置し、
前記押さえ部材は、
前記蓋体が該筐体の前記本体に取り付けられているときは、前記押下部延長部材の前記斜面部に接触することによって前記タンパリング検出スイッチを押下し、該タンパリング検出スイッチがタンパリング無しと検出する一方、
前記蓋体が該筐体の前記本体から取り外されたときは、前記押下部延長部材の前記斜面部から離脱することによって前記タンパリング検出スイッチを押下解除し、該タンパリング検出スイッチがタンパリングが有り得ると検出する、筐体装置。
【請求項２】
前記蓋体および前記押さえ部材は、単一物として一体に形成されている、請求項１に記載の筐体装置。
【請求項３】
前記押さえ部材は、
ネジであり、
前記蓋体に設けられた貫通雌ネジ部に該蓋体の外側面から螺入および挿通され、
さらに、前記押下部延長部材の前記斜面部に接触する、請求項１に記載の筐体装置。
【請求項４】
前記押さえ部材は、
ネジであり、
前記蓋体に設けられた貫通孔部に該蓋体の外側面から挿通され、
さらに、前記筐体の前記本体に設けられた貫通雌ネジ部に螺入および挿通され、
さらにまた、前記押下部延長部材の前記斜面部に接触する、請求項１に記載の筐体装置。
【請求項５】
前記筐体の前記本体に前記蓋体を固定する固定ネジをさらに有し、
前記固定ネジは、
前記蓋体に設けられた第２の貫通孔部に該蓋体の外側面から挿通され、
さらに、前記本体に設けられた雌ネジ部に螺入され、
前記押さえ部材および前記固定ネジは、互いに同一形状および同一サイズのネジ頭を備える、請求項３または４に記載の筐体装置。
【請求項６】
前記第１の基板は、前記第１の内側板面の反対側に第１の外側板面を備え、
前記第２の基板は、前記第２の内側板面の反対側に第２の外側板面を備え、
前記第１の外側板面および前記第２の外側板面にはそれぞれ、導体パターンから成り、断線したときにタンパリングが有り得ると検出するタンパリング検出パターンが形成されている、請求項１乃至５のいずれか一項に記載の筐体装置。
【請求項７】
請求項１乃至６のいずれか一項に記載の筐体装置と、タンパリングから保護すべきデータを記憶した前記電子部品と、を有する、電子機器。